(57)【要約】【課題】ローラの取り付け・取り外しを簡単に行うことができる履物を提供することを目的とする。【解決手段】軸部３ａと軸部３ａに回動自在に挿通される車輪部３ｂとを有するローラ３と、底部５の底面に開口されてローラ３の車輪部３ｂの一部を包囲しつつローラ３の軸部３ａの両端部４，４を圧入状に係止してローラ３を離脱自在に装着する嵌込凹部１と、嵌込凹部１に装着されたローラ３を押し出してローラ３の軸部３ａの端部４を嵌込凹部１から離脱させる押出手段２と、を備えている。【選択図】          図２
2004236703.tif 000002
【特許請求の範囲】
【請求項１】
軸部と該軸部に回動自在に挿通される車輪部とを有するローラと、底部の底面に開口されて該ローラの車輪部の一部を包囲しつつ該ローラの軸部の両端部を圧入状に係止して該ローラを離脱自在に装着する嵌込凹部と、該嵌込凹部に装着された該ローラを押し出して該ローラの軸部の端部を該嵌込凹部から離脱させる押出手段と、を備えていることを特徴とする履物。
【請求項２】
上記嵌込凹部の左右両側内面には、開口側から切り欠かれた係止用溝部を対向状に有し、該各係止用溝部にローラの軸部の各端部が圧入状に係止され、さらに、上記押出手段が、底部の左右側方から突出したボタン部を有し、該ボタン部を底部側へ押し込むことで、該ボタン部に連設された押出部にて該ローラの軸部の端部を押し出して離脱させるように構成されている請求項１記載の履物。
【請求項３】
上記押出部が、開口側向きでかつ嵌込凹部側向きの傾斜面を有し、該押出部の左右方向嵌込凹部側の移動にて、該傾斜面が上記ローラの軸部の端部に摺動しつつ該ローラの軸部の端部を上下方向開口側へ移動させるようにした請求項２記載の履物。
【請求項４】
上記ボタン部を上記底部の内側に設けた請求項２又は３記載の履物。
【請求項５】
上記ローラの代わりに上記嵌込凹部に嵌着されるキャップ部材を有する請求項１，２，３又は４記載の履物。
【発明の詳細な説明】
【０００１】
【発明の属する技術分野】
本発明は、底部の底面の凹部内に離脱可能なローラを有する履物に関する。
【０００２】
【従来の技術】
従来のローラ付き履物は、その底部の底面に設けられた凹部内に、ローラ用台座がビスにより固着され、そのローラ用台座にローラが揺動可能となるように取り付けられている構成であった。そして、ローラスケートとして使用する場合は、ローラを凹部内から引き出して使用し、他方、履物として使用する場合は、ローラを凹部内に折り畳んで収納していた（例えば、特許文献１参照。）。
【０００３】
【特許文献１】
実用新案登録第３０７９９０２号公報
【０００４】
【発明が解決しようとする課題】
しかしながら、従来のローラ付き履物では、履物として使用する場合、ローラを収納したまま使用するため、普通の履物に比べて、ローラ用台座とローラとの重量分だけ重くなり、歩行や走行し難いものとなっていた。仮に、ローラを取り外す場合、ローラ用台座をビスと共に取り外す必要があり、手間が掛かり、さらに、再度、ローラを取り付ける場合、ローラ用台座をビスにて取り付け直す必要があり面倒であった。
【０００５】
そこで、本発明に係る履物は、ローラの取り付け・取り外しを簡単に行うことができる履物を提供することを目的とする。
【０００６】
【課題を解決するための手段】
上述の目的を達成するために、請求項１に係る本願発明は、軸部と該軸部に回動自在に挿通される車輪部とを有するローラと、底部の底面に開口されて該ローラの車輪部の一部を包囲しつつ該ローラの軸部の両端部を圧入状に係止して該ローラを離脱自在に装着する嵌込凹部と、該嵌込凹部に装着された該ローラを押し出して該ローラの軸部の端部を該嵌込凹部から離脱させる押出手段と、を備えていることを特徴とする。
【０００７】
請求項１の構成によれば、ローラを、圧入により装着でき、かつ、押出手段により離脱できるため、ローラの着脱が容易となる。即ち、普通の履物として使用するときは、ローラを簡単に取り外せて軽量化を図ることができ、歩行や走行し易いものとなる。そして、再度、ローラスケートとして使用するときは、ローラを簡単に取り付けることができ、手間の掛からないものとなる。また、ローラを直接に指にて取り外し始めることがないため、ケガをすることなく、安全に取り外すことができる。
【０００８】
また、請求項２に係る本願発明は、上記嵌込凹部の左右両側内面には、開口側から切り欠かれた係止用溝部を対向状に有し、該各係止用溝部にローラの軸部の各端部が圧入状に係止され、さらに、上記押出手段が、底部の左右側方から突出したボタン部を有し、該ボタン部を底部側へ押し込むことで、該ボタン部に連設された押出部にて該ローラの軸部の端部を押し出して離脱させるように構成されていることを特徴としている。
【０００９】
請求項２の構成によれば、ローラを外部から嵌込凹部へ押し込むことで、ローラの軸部の両端部を係止用溝部へ圧入することができるため、簡単な構成で、ローラの取り付けを迅速かつ容易に行うことができる。また、履物の側方からボタン部（押出手段）を操作することができるため、簡単にローラを取り外すことができ、例えば、履物を履いたまま、ローラを取り外すことができる。
【００１０】
また、請求項３に係る本願発明は、上記押出部が、開口側向きでかつ嵌込凹部側向きの傾斜面を有し、該押出部の左右方向嵌込凹部側の移動にて、該傾斜面が上記ローラの軸部の端部に摺動しつつ該ローラの軸部の端部を上下方向開口側へ移動させるようにしていることを特徴としている。
【００１１】
請求項３の構成によれば、ボタン部の左右方向の動きを、ローラの上下方向への押し出しに確実に変換でき、ローラの取り外しを確実に行うことができる。また、簡単な構成で、製造コストの低減を図ることができる。
【００１２】
また、請求項４に係る本願発明は、上記ボタン部を上記底部の内側に設けていることを特徴としている。
請求項４の構成によれば、底部の底面を内側に向けるように履物を傾けた状態で、ボタン部を上方から押し込んで、ローラを取り外すことができ、履物を履いたままで、一層簡単に、ローラを取り外すことができる。
【００１３】
また、請求項５に係る本願発明は、上記ローラの代わりに上記嵌込凹部に嵌着されるキャップ部材を有することを特徴としている。
請求項５の構成によれば、ローラを取り外した後に、嵌込凹部をキャップ部材にて蓋をすることができ、歩行中において、地面からの突起物の嵌込凹部への引っ掛かりを防止して安全に歩行できる。また、嵌込凹部へのゴミ等の異物の侵入を防いで清潔に保つことができる。
【００１４】
【発明の実施の形態】
以下、実施の形態を示す図面に基づき、本発明を詳説する。
【００１５】
図１と図２は、本発明の実施の一形態を示し、本発明の（ローラ付き）履物は、所定の厚みを有する（樹脂製等の）ブロック状底部５を有し、その底部５の底面には嵌込凹部１が開口され、その嵌込凹部１内にローラ３が離脱自在に装着されている。なお、図１と図２には、履物が、（ローカットの）靴である場合を示しているが、もちろん、ハイカットの靴や草履等の履物であってもよい。また、図１と図２には、右足用の靴のみを示しており、左足用の靴も（図示省略するが）同様の構成とする。
【００１６】
ここで、嵌込凹部１は、底部５のかかと側（後部側）にのみ設けられており、本発明の履物をローラスケートとして使用する場合、つま先を浮かしながら、かかとのローラ３を用いて滑るようにする。
【００１７】
ローラ３は、（金属製の）軸部３ａと、その軸部３ａに（図示省略の軸受を介して）回動自在に挿通される（ゴム製の）車輪部３ｂとを有する。そして、嵌込凹部１内には、ローラ３の車輪部３ｂの一部が包囲されつつ、ローラ３の軸部３ａの両端部４，４が圧入状に係止されている。
【００１８】
さらに、本発明の履物は、嵌込凹部１に装着されたローラ３（の軸部３ａの端部４）を押し出して、ローラ３の軸部３ａの端部４を嵌込凹部１から離脱させる押出手段２を備えている。このように、ローラ３を、圧入により装着でき、かつ、押出手段２により離脱できるため、ローラ３の着脱が容易となる。
【００１９】
具体的に説明すると、図３〜図６に示すように、嵌込凹部１の左右両側内面には、開口側から切り欠かれた係止用溝部１０，１０を対向状に有し、この各係止用溝部１０には、図７（ハ）に示すように、ローラ３の軸部３ａの各端部４が圧入状に係止される。なお、「左右方向」とは、被験者が履物を履いているときの被験者の左右方向をいい、「上下方向」とは、そのときの上下方向をいうとする。
【００２０】
即ち、各係止用溝部１０の前後方向（履物のつま先・かかと方向）の開口幅ｈは、ローラ軸部３ａの端部４の外径寸法よりも若干小さく設定され、さらに、左右係止用溝部１０，１０間の距離Ｌは、ローラ軸部３ａの軸心方向の長さよりも若干小さく設定されており、左右の係止用溝部１０，１０にローラ軸部３ａを圧入状に装着することができる。
【００２１】
また、左右の係止用溝部１０，１０は、正面視、長円形乃至楕円形をその長軸の略半分の位置で切断した形状であり、ローラ軸部３ａを確実に係止することができる。また、係止用溝部１０は、例えば、硬質の樹脂にて形成されている。
【００２２】
押出手段２は、底部５の左右側方から突出したボタン部２０と、ボタン部２０に連設された押出部２１とを有し、ボタン部２０は、その先端（押出部２１）側に鍔部２０ａを備えている。
【００２３】
ボタン部２０の鍔部２０ａと押出部２１とは、一方（図３では右側）の係止用溝部１０の外側に隣接して設けられた底部５の内部空間７に、配設されている。
【００２４】
鍔部２０ａと内部空間７の嵌込凹部１側内面との間には、圧縮（コイル）バネ２２が配設されており、圧縮バネ２２により、常時、ボタン部２０を、嵌込凹部１と反対側（外側）へ弾発的に付勢している。
【００２５】
そして、ボタン部２０を圧縮バネ２２に抗して嵌込凹部１側へ押し込むことで、押出部２１が、一方の係止用溝部１０と内部空間７とを連通するように設けられた切欠溝１１内を通過して、一方の係止用溝部１０に位置するようになる。
【００２６】
また、押出部２１は、開口側向き（下向き）でかつ嵌込凹部１側向きの傾斜面２１ａを有しており、ボタン部２０の前進にて、その傾斜面２１ａが、一方の係止用溝部１０内に位置するようになる。
【００２７】
次に、ローラ３を嵌込凹部１に取り付ける際の作用及び方法を説明する。
【００２８】
まず、図７（イ）に示すように、ローラ軸部３ａの端部４を、嵌込凹部１の係止用溝部１０内に押し込んでいくと、軸部３ａの端部４が、係止用溝部１０の開口端縁を乗り越えて、図７（ロ）に示すように、係止用溝部１０内に係止する。そして、左右両方の係止用溝部１０，１０に、ローラ軸部３ａの両端部４，４を係止することで、図７（ハ）に示すように、ローラ３を嵌込凹部１内に装着することができる。
【００２９】
このように、ローラ３を外部から嵌込凹部１へ押し込むことで、ローラ３の軸部３ａの両端部４，４を左右係止用溝部１０，１０へ圧入することができ、ローラ３の取り付けを迅速かつ容易に行うことができる。
【００３０】
次に、ローラ３を嵌込凹部１から取り外す際の作用及び方法を説明する。
【００３１】
まず、図７（ハ）に示すように、ローラ３が嵌込凹部１に装着された状態において、指を使って、底部５に挿通されたボタン部２０を、圧縮バネ２２に抗して、底部５側（嵌込凹部１側）へ押し込んでいくと、図８（イ）に示すように、押出部２１の傾斜面２１ａが、ローラ軸部３ａの端部４に摺動しつつその端部４を上下方向開口側へ移動させ、図８（ロ）に示すように、その端部４を係止用溝部１０から押し出して、ローラ軸部３ａの一方の端部４を嵌込凹部１から離脱させる。その後、図８（ハ）に示すように、ボタン部２０から指を離して、圧縮バネ２２の伸長により、押出部２１の傾斜面２１ａを係止用溝部１０から後退させ、さらに、指を使ってローラ３を引き抜くことで、軸部３ａの他方の端部４を他方の係止用溝部１０から離脱させて、ローラ３を嵌込凹部１から完全に離脱させることができる。
【００３２】
このように、ボタン部２０、押出部２１、圧縮バネ２２等から構成されている押出手段２により、ローラ３の軸部３ａの端部４を嵌込凹部１から離脱させることができるため、ローラ３の離脱作業が容易となる。即ち、ローラ３を使用しないときは、簡単に取り外せて、履物の軽量化を図ることができる。なお、圧縮バネ２２のバネ力は、ボタン部２０に小さな押圧力が作用しただけでは、ボタン部２０が容易に動かない程度に設定されているため、不用意にローラ３が離脱することがない。
【００３３】
また、ローラ３を直接に指にて取り外し始めることがないため、ケガをすることなく、安全に取り外すことができる。即ち、ローラ３が嵌込凹部１に完全に装着された状態からローラ３を指にて取り外そうとすると、そのローラ３の嵌込凹部１から露出している部分が少なくて、指と接触する面積が小さくなり、しかも、ローラ３の両端部４，４が係止用溝部１０，１０に係止しているため、指に掛かる押圧力が過大となって、ローラ３を取り外し難く、さらに、指をケガするおそれがある。しかしながら、本発明は、押出手段２によりローラ３の一方の端部４を取り外した後に、指を使って取り出すため（即ち、ローラ３の嵌込凹部１から露出している部分が多い状態で指にて取り出すため）、指の接触する面積が大きくなり、しかも、係止用溝部１０にはローラ３の片方の端部４のみが係止しており、指に掛かる押圧力は小さくなって、安全にかつ容易にローラ３を取り外すことができる。なお、もちろん、押出手段２を使用せずに、ローラ３を直接に指にて取り外しても良い。
【００３４】
さらに、ボタン部２０を底部５側へ押し込むことで、ボタン部２０に連設された押出部２１にてローラ３の軸部３ａを押し出して離脱させるように構成されているため、履物の側方から（親）指にて押出手段２を操作することができ、簡単にローラ３を取り外すことができる。即ち、履物を履いたまま、ローラ３を取り外すことができる。
【００３５】
また、押出部２１の左右方向嵌込凹部１側の移動にて、傾斜面２１ａがローラ３の軸部３ａの端部４に摺動しつつローラ３の軸部３ａの端部４を上下方向開口側へ移動させるようにしているため、ボタン部２０の左右方向の動きを、ローラ３の上下方向への押し出しに確実に変換でき、簡単な構成で、ローラ３の取り外しを確実に行うことができる。
【００３６】
また、図２に示すように、ボタン部２０を底部５の内側に設けているため、底部５の底面を内側に向けるように履物を傾けた状態で、ボタン部２０を上方から押し込んで、ローラ３を取り外すことができ、履物を履いたままで、簡単に、ローラ３を取り外すことができる。ここで、「底部５の内側」とは、被験者が履物を履いた状態での足の内側をいう。
【００３７】
さらに、本発明の履物は、ローラ３の代わりに、図９に示すように、嵌込凹部１に嵌着されるキャップ部材６を有している。このキャップ部材６は、図１０〜図１２に示すように、（ゴム製の）化粧板部６ａと、化粧板部６ａの裏面（下面）に貼着される（樹脂製の）ブロック部６ｂとから成り、ブロック部６ｂは、（図１１参照の）側面視半円形でかつ（図１２参照の）正面視台形のカマボコ状である。
【００３８】
そして、キャップ部材６を嵌込凹部１に装着するには、ブロック部６ｂを嵌込凹部１内に挿入して、化粧板部６ａの表て面（上面）を底部５の底面と面一にする。このように、ローラ３を取り外した後に、嵌込凹部１をキャップ部材６にて蓋をすることができ、歩行中において、地面からの突起物の嵌込凹部１への引っ掛かりを防止して安全に歩行できる。また、嵌込凹部１へのゴミ等の異物の侵入を防いで清潔に保つことができる。
【００３９】
なお、本発明は上述の実施の形態に限定されず、本発明の要旨の範囲で設計変更可能である。例えば、図示省略するが、ボタン部２０（押出手段２）を底部５の外側に設けてもよい。また、ボタン部２０（押出手段２）を底部５の内側と外側の両方に設けてもよく、直接に指にてローラ３を取り外すことがなく、二つのボタン部２０，２０のみでローラ３を取り外すことができ、一層、安全かつ簡単にローラ３を取り外すことができる。また、嵌込凹部１を底部５底面の前後方向（又は／及び左右方向）に複数個設けてもよく、複数個のローラ３を用いて一層滑りの向上した履物とできる。また、押出手段２をローラ３の車輪部３ｂを押し出すように構成してもよい。
【００４０】
【発明の効果】
本発明は、上述の如く構成されるので、次に記載する効果を奏する。
【００４１】
▲１▼  （請求項１によれば、）ローラ３の取り付け・取り外しが容易となり、手間が掛からない。また、ローラ３を使用しないときに、容易にローラ３を取り外すことができ、軽量化を図ることができる。さらに、ローラ３を取り外す際の安全性に優れたものとなる。
▲２▼  （請求項２によれば、）簡単な構成で、ローラ３の取り付けを迅速かつ容易に行うことができる。また、履物を履いたまま、簡単にローラ３を取り外すことができる。
▲３▼  （請求項３によれば、）ローラ３の取り外しを確実に行うことができ、しかも、簡素な構成で製造コストを低減することができる。
▲４▼  （請求項４によれば、）履物をはいたままでも、底部５の底面を内側に向けてボタン部２０を押すことで、ローラ３を簡単に取り外すことができる。
▲５▼  （請求項５によれば、）ローラ３を取り外した後に、キャップ部材６にて嵌込凹部１を施蓋することができ、履物として使用する場合に、安全に歩行でき、しかも、清潔な状態に維持できる。
【図面の簡単な説明】
【図１】本発明の実施の一形態を示す左側面図である。
【図２】本発明の底面図である。
【図３】嵌込凹部からローラを離脱した状態を示す一部破断拡大底面図である。
【図４】図３の左側の係止用溝部を示す正面図である。
【図５】図３の右側の係止用溝部を示す正面図である。
【図６】図３のＸ−Ｘ断面図である。
【図７】ローラを嵌込凹部に取り付ける状態を示す作用説明図である。
【図８】ローラを嵌込凹部から取り外す状態を示す作用説明図である。
【図９】キャップ部材を嵌込凹部に取り付けた状態を示す底面図である。
【図１０】キャップ部材の平面図である。
【図１１】キャップ部材の側面図である。
【図１２】キャップ部材の正面図である。
【符号の説明】
１  嵌込凹部
２  押出手段
３  ローラ
３ａ  軸部
３ｂ  車輪部
４  端部
５  底部
６  キャップ部材
１０  係止用溝部
２０  ボタン部
２１  押出部
２１ａ  傾斜面
【図１】
2004236703.tif 000003
【図２】
2004236703.tif 000004
【図３】
2004236703.tif 000005
【図４】
2004236703.tif 000006
【図５】
2004236703.tif 000007
【図６】
2004236703.tif 000008
【図７】
2004236703.tif 000009
【図８】
2004236703.tif 000010
【図９】
2004236703.tif 000011
【図１０】
2004236703.tif 000012
【図１１】
2004236703.tif 000013
【図１２】
2004236703.tif 000014